(57)【要約】【課題】検査装置により機種識別を自動で実施し、また捺印に失敗する可能性を抑制する基板および検査装置を得ること。【解決手段】機種間で共通のマイクロコンピュータ等の共通回路と、機種別に設けられる機種専用回路とを含む電子部品が実装される制御基板であって、当該制御基板が制御する機器の機種を識別するための捺印が付される機種識別捺印部および当該制御基板の検査の合否を識別する捺印が付される検査合否捺印部を、当該制御基板の表または裏面のいずれかの端部に形成する。【選択図】        図２
2010225669.tif 000002
【特許請求の範囲】
【請求項１】
電子部品が実装される制御基板であって、
当該制御基板が制御する機器の機種を識別するための捺印が付される機種識別捺印部および当該制御基板の検査の合否を識別する捺印が付される検査合否捺印部を、当該制御基板の表または裏面のいずれかの端部に形成することを特徴とする制御基板。
【請求項２】
前記電子部品として、機種間で共通の共通回路と、機種別に設けられる機種専用回路とが搭載され、前記共通回路には、マイクロコンピュータが含まれることを特徴とする請求項１に記載の制御基板。
【請求項３】
請求項２に記載の制御基板の動作を検査する検査装置であって、
前記マイクロコンピュータに搭載されるソフトウエアに含まれる情報を判別し、この判別結果に基づき前記機種識別を行うソフトウエア判読部と、
前記機種専用回路の有無を判別し、この判別結果に基づき前記機種識別を行う回路検出部と、
のうちの少なくとも一方を有し、
前記機種識別結果に基づき前記機種識別捺印部への捺印を実行する捺印制御部
をさらに備えることを特徴とする検査装置。
【発明の詳細な説明】
【技術分野】
【０００１】
本発明は、電子機器に組み込まれる制御基板および制御基板の検査装置に関するものである。
【背景技術】
【０００２】
現在流通している電子機器には、機器を制御するための制御基板が組み込まれている。この制御基板は、作成後に検査装置によって検査され、合格品のみが出荷される。またこの種の制御基板においては、制御基板上への専用部品の実装の有無による相違や、制御基板に搭載されるマイクロコンピュータのソフトウエアの相違によって、制御基板が制御する機器を複数機種に対応可能なように設計されることが多い。
【０００３】
このような制御基板を製造管理するに当たっては、当該制御基板が合格品であるか否か、あるいは当該制御基板が制御可能な機器の機種などを判別するための識別マークが必要になる。従来技術には、制御基板の合否を判定して制御基板の側面に自動で捺印することが示されている（例えば特許文献１）。
【先行技術文献】
【特許文献】
【０００４】
【特許文献１】特開平８−３２１９２号公報
【発明の概要】
【発明が解決しようとする課題】
【０００５】
しかし上記従来技術には、制御基板の合否を識別するためのマーキングを行うことしか示されておらず、制御基板の対応機種を識別することは示されていない。このため、従来技術では、例えば機種ごとに異なる収納ケースに収納するなどの工夫を採用する必要があり、作業効率が低い。また、従来技術では、捺印箇所を制御基板側面としているが、制御基板側面は、通常は表面が粗く、また通常数ミリメートル程度の厚みしかないため、捺印に失敗する可能性も考えられる。
【０００６】
本発明は上記に鑑みてなされたもので、機種識別を可能とし、また捺印作業性を向上可能な制御基板および検査装置を得ることを目的とする。
【課題を解決するための手段】
【０００７】
上記目的を達成するために、本発明は、電子部品が実装される制御基板であって、当該制御基板が制御する機器の機種を識別するための捺印が付される機種識別捺印部および当該制御基板の検査の合否を識別する捺印が付される検査合否捺印部を、当該制御基板の表または裏面のいずれかの端部に形成することを特徴とする制御基板を提供する。
【発明の効果】
【０００８】
本発明によれば、機種識別捺印部と、検査合否捺印部を、当該制御基板の表または裏面のいずれかの端部に形成したので、作業者が容易に機種を確認でき、また捺印作業性を向上させることができる。
【図面の簡単な説明】
【０００９】
【図１】図１は、本実施の形態における制御基板を示す平面図である。
【図２】図２は、検査装置の構成を模式的に示した斜視図である。
【図３】図３は機種Ａ専用回路を有する制御基板と検査装置との結線を示すブロック図である。
【図４】図４は機種Ｂ専用回路を有する制御基板と検査装置との結線を示すブロック図である。
【図５】図５は本発明の実施の形態の動作例を示すフローチャートである。
【図６】図６は検査が終了した制御基板が基板立てに並べられている状態を示した斜視図である。
【発明を実施するための形態】
【００１０】
以下に、本発明にかかる制御基板および検査装置の実施の形態を図面に基づいて詳細に説明する。なお、この実施の形態によりこの発明が限定されるものではない。
【００１１】
以下に、ヒートポンプ式給湯器用のリモコンを例として本発明の実施の形態を説明する。図１はヒートポンプ式給湯器用のリモコンに搭載されるリモコン用制御基板１（以下「基板」と称する）を示す図である。この基板１は、複数の機種で同じ形状の基板を共用している。基板１の端部には各機種を識別するための捺印欄として、それぞれ機種Ａ用捺印欄２、機種Ｂ用捺印欄３、機種Ｃ用捺印欄４が設けられている。また基板に搭載される回路が所定の規格を満たしておらず、基板検査が不合格であったときの不合格用捺印欄５が設けられている。これらの各機種を識別するための捺印欄２〜４と不合格用捺印欄５は、基板の表または裏のいずれかの同じ面の端部に一列に配置されている。通常、基板表面はシルクやレジストなどで処理されており、滑らかに仕上げられているため、捺印に適している。
【００１２】
図２は検査装置の構成を模式的に示した図である。検査装置１１は通信線５０によって検査装置制御部１６と接続しており、検査装置１１の基板セット部１１ａ上に検査すべき基板１がセットされる。検査装置１１には、機種ごとの自動捺印装置として、それぞれ機種Ａ用識別印１２、機種Ｂ用識別印１３、機種Ｃ用識別印１４が、また基板検査が不合格であったときの不合格用識別印１５が備え付けられている。機種Ａ用識別印１２、機種Ｂ用識別印１３、機種Ｃ用識別印１４、不合格用識別印１５は、基板セット部１１ａ上にセットされた基板１の機種Ａ用捺印欄２、機種Ｂ用捺印欄３、機種Ｃ用捺印欄４および不合格用捺印欄５にそれぞれ捺印ができるような位置に設けられている。検査装置制御部１６は基板１の機種を判別したり、回路が所定の規格を満たしているかの検査を行う。
【００１３】
検査装置制御部１６は、検査しようとしている機種に応じた所定の検査手順で検査装置１１を制御して、セットされた基板１の検査を行う。また検査装置１１は検査で得た測定値を検査装置制御部１６に出力し、検査装置制御部１６はその測定値によって基板１の合否を判定する。判定後、合格であれば機種に応じ、機種Ａ用識別印１２、機種Ｂ用識別印１３、機種Ｃ用識別印１４のいずれかを捺印するための指示を検査装置１１に送る。また不合格であれば不合格用識別印１５を捺印するよう検査装置１１に指示を送る。検査装置１１は受信した指示どおりの捺印を行う。
【００１４】
図３は機種Ａ専用回路３３を有する基板１と検査装置１１との結線図である。基板１には電子部品が搭載される。基板１は、共通回路として、リモコン基板用通信送受信部３１とリモコン基板用マイクロコンピュータ３２を有しており、また機種ごとの機種専用回路として機種Ａ専用回路３３が組み込まれている。リモコン基板用通信送受信部３１と機種Ａ専用回路３３は、リモコン基板用マイクロコンピュータ３２で制御される。リモコン基板用マイクロコンピュータ３２はＣＰＵ（Central Processing Unit）や記憶装置を有しており、記憶装置に記憶されたソフトウエアにより、ＣＰＵで所定の演算を行う。図４は機種Ｂ専用回路３４を有する基板１と検査装置１１との結線図である。図４では機種Ｂ専用回路３４が組み込まれており、機種Ｂ専用回路３４はリモコン基板用マイクロコンピュータ３２によって制御される。
【００１５】
図３、図４に示すように、検査装置１１には給湯器本体で使用する本体制御基板（以下、「本体基板」と称する）３８が搭載されている。本体基板３８は本体基板用通信送受信部３９、本体基板用マイクロコンピュータ４０を有しており、基板１のリモコン基板用通信送受信部３１と、本体基板用通信送受信部３９が接続されている。これにより、基板１が給湯器本体に接続されているのと同じ状況で検査を行うことができる。
【００１６】
また、検査装置１１はソフトウエア判読手段４１、回路検出手段４２を有している。ソフトウエア判読手段４１は基板１のテストピン３７に例えば検査用針で接続しており、基板１のリモコン基板用マイクロコンピュータ３２に搭載されているプログラム中に記述されているバージョン情報や機種情報などを読み取って、ソフトウエアの種類を判別する。また、回路検出手段４２はテストピン３５、３６に例えば検査用針で接続しており、基板１に搭載されている各機種専用回路の応答によって機種専用回路の有無を検出する。
【００１７】
検査装置１１側の本体基板３８は本体基板用通信送受信部３９、リモコン基板用通信送受信部３１を経由して基板１のリモコン基板用マイクロコンピュータ３２と通信を行う。この通信には基板１の機種情報が含まれており、ソフトウエア判読手段４１はテストピン３７からの信号を用いて機種情報を取得する。また機種Ａ専用回路３３及び機種Ｂ専用回路３４はそれぞれ機種Ａ、機種Ｂのみに存在する回路であるため、テストピン３５、テストピン３６からの信号を回路検出手段４２で検出すれば機種Ａ専用回路３３と機種Ｂ専用回路３４の有無が検出可能である。すなわち、テストピン３５からは機種Ａ専用回路３３からの信号が得られ、テストピン３６からは機種Ｂ専用回路３３からの信号が得られる。
【００１８】
次に、図３に示したように、基板１に機種Ａ専用回路３３が搭載されている場合を例として、検査を行う際の動作を図５を用いて説明する。図５は本実施の形態の動作のフローチャートである。最初は、基板１の動作確認を行う（ステップＳ１）。この基板動作確認では、テストピン３６、３７や、図示しない他のテストピンなどを用いて基板１が本体基板３８の制御により正常に動作をしているか否かを確認する。基板動作確認時には機種の識別ができなくともよい。
【００１９】
次に、動作確認によって得られた各種動作結果を判定し、基板１が合格か不合格かを判断する（ステップＳ２）。この判断の結果、当該基板１が不合格の場合（ステップＳ２、Ｎｏ）、検査装置制御部１６から不合格用識別印１５を不合格用捺印欄５に捺印するよう指示が検査装置１１に送信される（ステップＳ３）。検査装置１１では、当該基板１の不合格用捺印欄５への捺印が行われた後、検査終了となる（ステップＳ４）。
【００２０】
ステップＳ２で基板動作が合格であるときは、次に、機種の識別が行われる（ステップＳ５）。機種の識別はソフトウエア判読手段４１または回路検出手段４２で行われる。ソフトウエア判読手段４１はリモコン基板用マイクロコンピュータ３２に搭載されているソフトウエアのバージョン情報や、ソフトウエアの制御内容を読み取って機種判別を行う。また機種Ａにおいては、機種Ａ専用回路３３が実装されているため、回路検出手段４２がテストピン３５から出力される信号出力を検出できるが、機種Ｂ専用回路３４は実装されないのでテストピン３６には信号出力がない。これを検出して回路検出手段４２で機種の識別を行うことができる。機種の識別にはソフトウエア判別手段４１と回路検出手段４２のいずれか一方で行うことができるが、両方用いてもよい。これらの機種判別結果は検査装置制御部１６に送られる。
【００２１】
ステップＳ５での機種識別結果によって検査装置制御部１６から検査装置１１に対して捺印の指示が送信される（ステップＳ６）。今回は、機種Ａ用捺印欄２に機種Ａ用識別印１２を捺印する指示が送信される。これにより、検査装置１１では、当該基板１の機種Ａ用捺印欄２への捺印（ステップＳ７）が行われた後、検査終了となる。
【００２２】
検査が終了した基板は、基板立て２０に並べられる。図６は検査が終了した基板１が基板立て２０に並べられている状態を示した図である。機種Ａ用基板２１、２２、２３、２５には、図５において一番上の機種Ａ用捺印欄２に捺印が押されている。機種Ｂ用基板２４では上から２番目の機種Ｂ用捺印欄３に捺印が押されている。また、不合格基板２６は一番下の不合格用捺印欄５に捺印が押されている。このように、機種識別用の捺印を各基板に付けるようにしているので、図６に示すように、複数の機種Ａ用基板に、機種Ｂ用基板あるいは不合格基板が混入した場合でも、この混入を基板立て２０に並べた後でも容易に発見することができる。また、捺印欄が基板表面の端部にあるため、基板立てに並べた後でも見やすく、また捺印作業性が向上し捺印に失敗する可能性が低くなる。
【００２３】
以上説明したとおり、本実施の形態によれば、検査装置側で基板１の機種識別を自動で実施することができ、この機種識別結果に応じて制御基板の表面または裏面の端部に機種識別が可能な捺印を付けるようにしているので、作業者による制御基板の機種識別が可能となり、作業効率が向上する。また基板表面または裏面の端部に捺印欄を設けているので、捺印に失敗する可能性が抑制できる。
【００２４】
なお、上記実施の形態において、機種Ａ用識別印１２及び機種Ｂ用識別印１３及び機種Ｃ用識別印１４及び不合格用識別印１５の識別印捺印欄を個別に用意しているが、これらを一つの捺印欄にまとめ、捺印の色を相違させることで識別してもよい。この場合、捺印欄を少なくすることができ、基板実装面積を広く使用できる。なお、上記実施の形態では、給湯器用のリモコンの制御基板に本発明を適用したが、他の電子機器の制御基板に本発明を適用するようにしてもよい。
【産業上の利用可能性】
【００２５】
以上のように、本発明にかかる制御基板および検査装置は、複数の機種で同じ形状の基板を共用している制御基板に適用して有用である。
【符号の説明】
【００２６】
１  制御基板
２  機種Ａ用捺印欄
３  機種Ｂ用捺印欄
４  機種Ｃ用捺印欄
５  不合格用捺印欄
１１  検査装置
１２  機種Ａ用識別印
１３  機種Ｂ用識別印
１４  機種Ｃ用識別印
１５  不合格用識別印
１６  検査装置制御部
２０  基板立て
２１  機種Ａ用基板
２２  機種Ａ用基板
２３  機種Ａ用基板
２４  機種Ｂ用基板
２５  機種Ａ用基板
２６  不合格基板
３１  リモコン基板用通信送受信部
３２  リモコン基板用マイコン
３３  機種Ａ専用回路
３４  機種Ｂ専用回路
３５  テストピン
３６  テストピン
３７  テストピン
３８  本体基板
３９  本体基板用通信送受信部
４０  本体基板用マイコン
４１  ソフトウエア判読手段
４２  回路検出手段
５０  通信線
【図１】
2010225669.tif 000003
【図２】
2010225669.tif 000004
【図３】
2010225669.tif 000005
【図４】
2010225669.tif 000006
【図５】
2010225669.tif 000007
【図６】
2010225669.tif 000008